(57)【特許請求の範囲】
【請求項１】
電気エネルギーを蓄えるコンデンサと、電気エネルギーを光に変える放電管と、前記放電管に接続されたＩＧＢＴと、発光の強度に応じて変化する第１の信号の状態に応じて前記ＩＧＢＴのオンとオフを繰り返し切り換えることでフラット発光を行わせるとともに、前記フラット発光の持続時間を基に変化する第２の信号に応じて前記ＩＧＢＴをオフとして前記フラット発光を終了させる発光制御回路とを有するストロボ装置において、
前記発光制御回路は、
前記ＩＧＢＴのゲートに接続され、第１の端子に入力される前記第１の信号に応じて前記ＩＧＢＴのオンとオフを切り換えるとともに、第２の端子の入力される前記第２の信号に応じて前記ＩＧＢＴのオンとオフを切り換える回路と、
前記フラット発光の発光の強度に応じて変化する前記第１の信号と、前記フラット発光の所定の持続時間が経過したことを検知して変化する前記第２の信号とを出力する回路と、を有し、
前記第１の信号の状態に応じて前記ＩＧＢＴをオンとしている間に前記フラット発光の所定の持続時間が経過したことを検知した場合に、前記第１の信号に応じて前記ＩＧＢＴがオフとなるまで待機してから、前記第２の信号を変化させて前記フラット発光を終了させることを特徴とするストロボ装置。
【請求項２】
請求項１において、前記発光制御回路は、前記第１の信号の状態に応じて前記ＩＧＢＴをオンとしている間に前記フラット発光の所定の持続時間が経過したことを示す信号を検知した場合に、前記フラット発光の所定の持続時間が経過したことを検知してから所定時間後に、前記第２の信号を変化させて前記フラット発光を終了させることを特徴とするストロボ装置。
【請求項３】
請求項２において、前記所定時間は、前記発光制御回路が前記第１の信号の状態に応じて前記ＩＧＢＴをオフからオンに切り換えるために要する時間以上で、且つフラット発光周期において前記発光制御回路が前記第１の信号の状態に応じて前記ＩＧＢＴをオフとしておく時間より短い時間であることを特徴とするストロボ装置。
【請求項４】
請求項１において、前記発光制御回路は、前記フラット発光の所定の持続時間が経過したことを検知した場合に、前記ＩＧＢＴをオンからオフに切り換えるための前記第１の信号のエッジを検知した後は前記第１の信号の状態に応じて前記ＩＧＢＴをオンすることを禁止することを特徴とするストロボ装置。
【発明の詳細な説明】
【０００１】
【発明の属する技術分野】
本発明は、フォーカルプレーンシャッターがスリット露光をする場合でもストロボ撮影が可能なように均一な光量で発光を持続するフラット発光が可能であり制御回路にＩＧＢＴを使用したストロボ装置に関するものである。
【０００２】
【従来の技術】
従来のカメラ等で使用するストロボ装置の発光制御回路には、ＩＧＢＴ（Ｉｎｓｕｌａｔｅｄ  Ｇａｔｅ  ＢｉｐｏｌａｒＭｏｄｅ  Ｔｒａｎｓｉｓｔｏｒ）を用いたものが多い。ＩＧＢＴはＦＥＴの小電力制御特性とトランジスタの電流特性を併せたような素子で、高速に大電流を制御することが可能なスイッチング素子であり、このＩＧＢＴのオンオフの繰り返しにより放電管の発光を制御してフラット発光を持続し、所定時間経過後にフラット発光を終了する際にはカメラ側からの制御信号により、ＩＧＢＴの状態等には関わりなく強制的にオフして発光を終了するものである。
【０００３】
【発明が解決しようとする課題】
しかしながら、この場合、フラット発光を終了する際ＩＧＢＴの状態に関わり無く強制的に即オフしているので、ＩＧＢＴが過渡的な状態、つまりオフ状態からオン状態に切替わる途中でＩＧＢＴを強制的にオフしてしまう可能性があるために、ＩＧＢＴを破壊する可能性があるという欠点があった。
【０００４】
本発明の目的とするところは、フラット発光終了時にＩＧＢＴを保護する発光終了手続きをとり、ＩＧＢＴの破壊を防止できるストロボ装置を提供することにある。
【０００５】
【課題を解決するための手段】
上記目的を達成するため、本発明は、電気エネルギーを蓄えるコンデンサと、電気エネルギーを光に変える放電管と、前記放電管に接続されたＩＧＢＴと、発光の強度に応じて変化する第１の信号の状態に応じて前記ＩＧＢＴのオンとオフを繰り返し切り換えることでフラット発光を行わせるとともに、前記フラット発光の持続時間を基に変化する第２の信号に応じて前記ＩＧＢＴをオフとして前記フラット発光を終了させる発光制御回路とを有するストロボ装置において、前記発光制御回路は、前記ＩＧＢＴのゲートに接続され、第１の端子に入力される前記第１の信号に応じて前記ＩＧＢＴのオンとオフを切り換えるとともに、第２の端子の入力される前記第２の信号に応じて前記ＩＧＢＴのオンとオフを切り換える回路と、前記フラット発光の発光の強度に応じて変化する前記第１の信号と、前記フラット発光の所定の持続時間が経過したことを検知して変化する前記第２の信号とを出力する回路と、を有し、前記第１の信号の状態に応じて前記ＩＧＢＴをオンとしている間に前記フラット発光の所定の持続時間が経過したことを検知した場合に、前記第１の信号に応じて前記ＩＧＢＴがオフとなるまで待機してから、前記第２の信号を変化させて前記フラット発光を終了させることを特徴とする。
【０００６】
また、前記発光制御回路は、前記第１の信号の状態に応じて前記ＩＧＢＴをオンとしている間に前記フラット発光の所定の持続時間が経過したことを示す信号を検知した場合に、前記フラット発光の所定の持続時間が経過したことを検知してから所定時間後に、前記第２の信号を変化させて前記フラット発光を終了させることを特徴とする。
更に、前記所定時間は、前記発光制御回路が前記第１の信号の状態に応じて前記ＩＧＢＴをオフからオンに切り換えるために要する時間以上で、且つフラット発光周期において前記発光制御回路が前記第１の信号の状態に応じて前記ＩＧＢＴをオフとしておく時間より短い時間であることを特徴とする。
また、前記発光制御回路は、前記フラット発光の所定の持続時間が経過したことを検知した場合に、前記ＩＧＢＴをオンからオフに切り換えるための前記第１の信号のエッジを検知した後は前記第１の信号の状態に応じて前記ＩＧＢＴをオンすることを禁止することを特徴とする。
【０００７】
【発明の実施の形態】
本出願に係る発明の目的を実現する構成は、請求項１に記載のように、電気エネルギーを蓄えるコンデンサと、電気エネルギーを光に変える放電管と、前記放電管に接続されたＩＧＢＴと、発光の強度に応じて変化する第１の信号の状態に応じて前記ＩＧＢＴのオンとオフを繰り返し切り換えることでフラット発光を行わせるとともに、前記フラット発光の持続時間を基に変化する第２の信号に応じて前記ＩＧＢＴをオフとして前記フラット発光を終了させる発光制御回路とを有するストロボ装置において、前記発光制御回路は、前記ＩＧＢＴのゲートに接続され、第１の端子に入力される前記第１の信号に応じて前記ＩＧＢＴのオンとオフを切り換えるとともに、第２の端子の入力される前記第２の信号に応じて前記ＩＧＢＴのオンとオフを切り換える回路と、前記フラット発光の発光の強度に応じて変化する前記第１の信号と、前記フラット発光の所定の持続時間が経過したことを検知して変化する前記第２の信号とを出力する回路と、を有し、前記第１の信号の状態に応じて前記ＩＧＢＴをオンとしている間に前記フラット発光の所定の持続時間が経過したことを検知した場合に、前記第１の信号に応じて前記ＩＧＢＴがオフとなるまで待機してから、前記第２の信号を変化させて前記フラット発光を終了させることを特徴とするストロボ装置にある。
【０００８】
この構成によれば、第１の信号の状態に応じてＩＧＢＴをオンとしている間にフラット発光の所定の持続時間が経過したことを検知した場合に、第１の信号に応じてＩＧＢＴがオフとなるまで待機してから、第２の信号を変化させてフラット発光を終了させるので、ＩＧＢＴを保護することができる。
【０００９】
本出願に係る発明の目的を実現する具体的な構成は、請求項２に記載のように、請求項１において、前記発光制御回路は、前記第１の信号の状態に応じて前記ＩＧＢＴをオンとしている間に前記フラット発光の所定の持続時間が経過したことを示す信号を検知した場合に、前記フラット発光の所定の持続時間が経過したことを検知してから所定時間後に、前記第２の信号を変化させて前記フラット発光を終了させることを特徴とするストロボ装置にある。
【００１０】
この構成によれば、第１の信号の状態に応じてＩＧＢＴをオンとしている間にフラット発光の所定の持続時間が経過したことを示す信号を検知したら、ＩＧＢＴがオフ状態からオン状態に切替わる過渡状態にあると判断して、フラット発光の所定の持続時間が経過したことを検知してから所定時間後に、第２の信号を変化させてフラット発光を終了させるので、ＩＧＢＴを保護しながらフラット発光を終了させることができる。
【００１１】
本出願に係る発明の目的を実現する他の具体的な構成は、請求項３に記載のように、請求項２において、前記発光制御回路が前記第１の信号の状態に応じて前記ＩＧＢＴをオフからオンに切り換えるために要する時間以上で、且つフラット発光周期において前記発光制御回路が前記第１の信号の状態に応じて前記ＩＧＢＴをオフとしておく時間より短い時間であることを特徴とするストロボ装置にある。
【００１２】
この構成によれば、ＩＧＢＴのオフ状態からオン状態に切替わる過渡状態を避けられる、適正な時間をおいてからフラット発光を終了させることができる。
【００１３】
本出願に係る発明の目的を実現する他の具体的な構成は、請求項４に記載のように、請求項１において、前記発光制御回路は、前記フラット発光の所定の持続時間が経過したことを検知した場合に、前記ＩＧＢＴをオンからオフに切り換えるための前記第１の信号のエッジを検知した後は前記第１の信号の状態に応じて前記ＩＧＢＴをオンすることを禁止することを特徴とするストロボ装置にある。
【００１４】
この構成によれば、フラット発光の所定の持続時間が経過したことを検知した場合に、ＩＧＢＴをオンからオフに切り換えるための第１の信号のエッジを検知したら、第１の信号の状態に応じてＩＧＢＴをオンすることを禁止するので、制御回路を第１の信号の受付禁止状態に保持して発光停止状態にすることができる。
【００１５】
【実施例】
（第１の実施例）
以下、本発明の一実施例を図に基づいて説明する。
図１〜図６は第１実施例を示している。
図１は本発明の第１実施例に係るフラット発光制御装置のブロック図である。
図２は図１に示す発光制御回路の具体回路図である。
図３は図１に示すフラット発光制御装置の各部のタイムチャートである。
図４は図３に示す各部波形の比較説明用のタイムチャートである。
図５は図１に示すフラット発光制御装置の動作のフローチャートである。
図６は図１に示すフラット発光制御装置のフラット発光シーケンスのフローチャートである。
【００１６】
図１において、１０１は電源である電池、１０２はマイクロコンピュータ１１１の出力端子ＤＣ／ＤＣ−ＯＮからの信号で、電源１０１の電圧を昇圧するＤＣ／ＤＣコンバータ、１０３はＤＣ／ＤＣコンバータ１０２により昇圧された電気エネルギーを蓄えるコンデンサ、１０４，１０５はコンデンサ１０３の充電電圧を分圧する抵抗であり、分圧点はマイクロコンピュータ１１１のＡ／Ｄ入力端子Ａ／Ｄ−１に接続している。
【００１７】
１０６はコイルでコンデンサ１０３とキセノン管１０７のアノード間に接続している、１０７はキセノン管、１０８はダイオードでアノードをキセノン管１０７のカソードとカソードをコンデンサ１０３に接続している、１０９はマイクロコンピュータ１１１の出力端子ＴＲＩの信号によりキセノン管１０７を励起状態にさせる既存のトリガ回路、１１０はキセノン管１０７のカソードとグランド間に接続してキセノン管１０７の発光を制御するＩＧＢＴを含む既存の発光制御回路である。
【００１８】
１１１はマイクロコンピュータ、１１２はマイクロコンピュータ１１１の出力端子Ｄ／Ａ−ＯＵＴ  Ａ〜Ｈを入力とするＤ／Ａコンバータで、その出力はコンパレータ１１４の非反転入力に接続している、１１３はキセノン管１０７の発光の強度を電圧出力に変換する発光強度モニタ回路で出力はコンパレータ１１４の反転入力に接続している、コンパレータ１１４の出力は信号セレクタ１１５のＤ１端子に接続している、信号セレクタ１１５のＤ０，Ｄ２，Ｄ３入力はＧＮＤに接続し、そのセレクト端子Ａはマイクロコンピュータ１１１の出力端子ＯＵＴ−Ａに、セレクト端子ＢはＧＮＤに、出力Ｙはマイクロコンピュータ１１１の入力端子ＳＴＯＰ−ＩＮに、反転出力Ｗは発光制御回路１１０に接続している。
【００１９】
１１６はプルアップ抵抗、１１７は電源スイッチでマイクロコンピュータ１１１の入力端子ＳＷ−ＯＮに接続しオンによりマイクロコンピュータ１１１が動作し始める。１１８はＬＥＤ、１１９は抵抗、１２０〜１２３はカメラとの接続端子で、１２０はカメラからのデータのクロック端子でマイクロコンピュータ１１１の端子ＣＬＫ１に接続している、１２１はクロック端子１２０のクロック信号に同期したカメラからのデータ信号端子でマイクロコンピュータ１１１の入力端子ＤＡＴＡ−ＩＮ１と接続している、１２２はクロック端子１２０のクロック信号に同期したストロボからカメラへの信号端子で、マイクロコンピュータ１１１の出力端子ＤＡＴＡ−ＯＵＴ１に接続している。１２３はカメラからの発光開始信号の入力端子でマイクロコンピュータ１１１の入力端子ＳＴＡＲＴ／ＳＴＯＰ端子に接続している。
【００２０】
図２は発光制御回路の詳しい回路図であり、図２において、２０１はＩＧＢＴでコレクタはキセノン管１０７のカソードに、エミッタはＧＮＤに接続してスイッチングを行う。マイクロコンピュータ１１１の出力端子３０Ｖ−ＯＮは抵抗２１２を介してトランジスタ２１１のベースに接続している。信号セレクタ１１５の反転出力Ｗは抵抗２０７を介しトランジスタ２０５のベース、抵抗２１５を介しトランジスタ２１３のベースに接続している。
【００２１】
信号セレクタ１１５の反転出力ＷがＬｏｗで且つマイクロコンピュータ１１１の出力端子３０Ｖ−ＯＮがＨｉｇｈになると、トランジスタ２１１がオンしてトランジスタ２０８がオンする。これによって、トランジスタ２０８を介し３０Ｖ電源（図示していない）より、抵抗２０３を通してＩＧＢＴ２０１のゲートをチャージしてＩＧＢＴ２０１がオンする。
【００２２】
信号セレクタ１１５の反転出力端子ＷがＨｉｇｈになるとトランジスタ２１３がオンし、これによってトランジスタ２１１，２０８とオフしてＩＧＢＴ２０１のゲートへの通電を止めると共に、トランジスタ２０５がオンしてＩＧＢＴ２０１のゲートのチャージを抜くのでＩＧＢＴ２０１はオフする。こうして、ＩＧＢＴ２０１のオン・オフという動作が行われる。
【００２３】
つぎに動作について説明する。
【００２４】
図５に示す本実施例のメインルーチンより、電源スイッチ１１７をオンするとマイクロコンピュータ１１１が動作を開始する（Ｓ１０１）。マイクロコンピュータ１１１のＤＣ／ＤＣ−ＯＮ端子をＨｉｇｈにしてＤＣ／ＤＣコンバータ１０２の動作を開始する（Ｓ１０２）。
【００２５】
コンデンサ１０３の充電電圧が発光可能電圧に達したかを検出するために、マイクロコンピュータ１１１のＡ／Ｄ入力端子Ａ／Ｄ−１がコンデンサ１０３の発光可能電圧を抵抗１０４，１０５で分圧したＶ１以上かを判断し、Ｖ１未満の場合はＳ１０４へ進む（Ｓ１０３）。マイクロコンピュータ１１１のＲＥＡＤＹ端子をＨにして充電完了表示用ＬＥＤ１１８を消灯する（Ｓ１０４）。電圧がＶ１以上ある時は、ＲＥＡＤＹ端子をＬにしてＬＥＤ１１８を点灯する（Ｓ１０５）。コンデンサ１０３の充電電圧が最大充電電圧に達したかを検出するために、マイクロコンピュータ１１１のＡ／Ｄ入力端子Ａ／Ｄ−１がコンデンサ１０３の最大充電電圧を抵抗１０４，１０５で分圧したＶ２以上かを判断して、Ｖ２未満の時はＳ１０２へ進み、Ｖ２以上の時はＳ１０７へ進む（Ｓ１０６）、マイクロコンピュータ１１１の出力端子ＤＣ／ＤＣ−ＯＮをＬｏｗにしてＤＣ／ＤＣコンバータ１０２の動作を停止させＳ１０３へ進む（Ｓ１０７）。以上の動作を電源スイッチ１１７をオフするまで続ける。
【００２６】
次に、図６に示すフラット発光制御ルーチンを参照してフラット発光制御について説明する。
【００２７】
カメラがＳＴＡＲＴ／ＳＴＯＰ端子をＬｏｗにすると割込みがかかり（Ｓ２０１）、フラット発光シーケンスを実行する。
【００２８】
マイクロコンピュータ１１１の出力端子Ｄ／Ａ−ＯＵＴ  Ａ〜Ｈ端子をカメラからのシリアル通信により指示された値にセットする、この時点では発光前なのでＤ／Ａコンバータ１１２のＤ／Ａ  ＯＵＴの出力≧発光強度モニタ回路の出力、なのでコンパレータ１１４の出力はＨｉｇｈである（Ｓ２０２）。
【００２９】
マイクロコンピュータ１１１の出力端子３０Ｖ−ＯＮをＨｉｇｈにする（Ｓ２０３）。マイクロコンピュータ１１１の出力端子ＯＵＴ−ＡをＨｉｇｈにする（Ｓ２０４）。これによって、信号セレクタ１１５はＤ１端子が選択されて、出力ＹはＨｉｇｈ、反転出力ＷはＬｏｗになりトランジスタ２１３，２０５がオフ、トランジスタ２１１，２０８がオンになるので、ＩＧＢＴ２０１はオンする。
【００３０】
マイクロコンピュータ１１１の出力端子ＴＲＩに所定時間Ｈｉｇｈを出力し、トリガ回路１０９はキセノン管１０７に高電圧のトリガ信号を加えキセノン管１０７は発光を始める（Ｓ２０５）、フラット発光の発光時間を制御するタイマーをスタートさせる（Ｓ２０６）。
【００３１】
発光開始後、発光強度モニタ回路１１３はキセノン管１０７の光を受けて、図３のタイムチャートに示す波高値モニタ出力のように、発光量に応じた出力をする。発光強度モニタ回路１１３の出力がＳ２０２で設定したＤ／Ａコンバータ１１２の出力Ｄ／Ａ  ＯＵＴより大きくなると、コンパレータ１１４の出力は反転してＬｏｗになり、信号セレクタ１１５の出力ＹはＬｏｗ、反転出力ＷはＨｉｇｈとなりトランジスタ２１３、２０５がオンしＩＧＢＴ２０１はオフする。
【００３２】
これを図３で説明すると、波高値モニタ出力（発光強度モニタ出力）が発光により上昇して、設定値コンパレートレベル（点線）を超えると、信号セレクタ１１５の反転出力ＷはＬｏｗからＨｉｇｈに変わり、ＩＧＢＴゲートはＬｏｗになりＩＧＢＴ２０１はオフする。
【００３３】
ＩＧＢＴ２０１がオフするとコイル１０６に溜まったエネルギーは、コイル１０６ーキセノン管１０７ーダイオード１０８と流れるため、発光強度モニタ回路１１３の出力はＩＧＢＴ２０１がオフしてから少し遅れて下がり始め、発光強度モニタ回路１１３の出力がＤ／Ａコンバータ１１２の出力Ｄ／Ａ  ＯＵＴより下がると、コンパレータ１１４の出力は再びＨｉｇｈになり信号セレクタ１１５の出力ＹはＨｉｇｈ、反転出力ＷはＬｏｗとなってＩＧＢＴ２０１は再びオンになる。
【００３４】
これを図３で説明すると、波高値モニタ出力がコンパレートレベル（点線）より下がると、反転出力ＷはＨｉｇｈからＬｏｗに変わりＩＧＢＴゲートはＨｉｇｈに変わって行きＩＧＢＴ２０１は再びオンする。
【００３５】
この時、キセノン管１０７は未だ発光中なのでＩＧＢＴ２０１がオンしたことにより、コンデンサ１０３のエネルギーは、コンデンサ１０３ーコイル１０６ーキセノン管１０７ーＩＧＢＴ２０１ーＧＮＤと流れて発光量は再び増加し、発光強度モニタ回路１１３の出力もこれに応じて大きくなる。この一連の動作を繰り返してフラット発光を持続する。
【００３６】
再び、図６のフローチャートに戻り、カメラからのシリアル通信によって指示されたフラット発光の発光時間ＴＦＰと、Ｓ２０６でスタートしたタイマーを比較して発光終了時間に達したら、Ｓ２０８へ進む（Ｓ２０７）。
【００３７】
マイクロコンピュータ１１１の入力端子ＳＴＯＰ−ＩＮをチェック、つまりＳＴＯＰ−ＩＮは信号セレクタ１１５の出力Ｙに接続している。ＳＴＯＰ−ＩＮがＨｉｇｈなら信号セレクタ１１５の出力ＹはＨｉｇｈ反転出力ＷはＬｏｗなので、ＩＧＢＴ２０１はオン中と判断して、Ｓ２０９へ進む（Ｓ２０８）。
【００３８】
ＩＧＢＴ２０１がオン中の時には、制御の１つとして、過渡状態でのオフを避けるため所定時間ＴＷ１だけウエイトするようプログラムし（Ｓ２０９）、所定時間ＴＷ１だけウエイトしたらマイクロコンピュータ１１１の出力端子３０Ｖ−ＯＮ、ＯＵＴ−Ａを双方ともＬｏｗにしてＩＧＢＴ２０１をオフする（Ｓ２１０）。これは図３上で見ると、ＩＧＢＴゲートがオン状態からオフしている状態の間のタイミングで３０Ｖ−ＯＮとＯＵＴ−Ａをオフして、ＩＧＢＴを安全にオフするようになる。
【００３９】
以上でフラット発光割込み処理を終了しメインルーチンに戻る（Ｓ２１１）。
【００４０】
なお、Ｓ２０９におけるウエイトの所定時間ＴＷ１は、発光制御回路１１０のＩＧＢＴ２０１がオフからオンする時間より長く、フラット発光中のＩＧＢＴ２０１がオフしている時間より短く設定するため、ＩＧＢＴ２０１の完全にオンしている状態からオフしている状態の間に、ＩＧＢＴ２０１をオフすることができる。つまりＩＧＢＴのオフ状態からオン状態に換る途中の過渡的な状態を避けてオフすることが可能になる。
【００４１】
以上、説明したように、本実施例では、図４に比較説明のために、フラット発光終了時間に達したら強制的に３０Ｖ−ＯＮをＬｏｗにしてＩＧＢＴをオフする場合のタイムチャートを示しているが、この場合は図４中ＩＧＢＴゲート信号のＵ領域（点線円内）に示すように、ＩＧＢＴのオフ状態からオン状態に切替わる過渡状態でオフ処理を行ってしまう危険があり、ＩＧＢＴ２０１が破壊される危険性があったが、それに比較して図３に示す本実施例の場合は、フラット発光終了時間後、ウエイト時間ＴＷ１だけ待ってからオフするので、過渡状態を避けてＩＧＢＴのオンしている状態からオフしている状態の間に安全にオフすることが可能になる。
【００４２】
（第２の実施例）
次に本発明の第２実施例について説明する。
図７は本発明の第２実施例に係るフラット発光制御装置のブロック図である。
図８は図７に示すフラット発光制御装置のフラット発光シーケンスのフローチャートである。
図９は図７に示すフラット発光制御装置の各部のタイムチャートである。
【００４３】
図７において、１２４はネガティブエッジトリガ入力のＤフリップフロップでＤ入力端子はマイクロコンピュータ１１１の出力端子３０Ｖ−ＯＮに、Ｃ入力端子はＡＮＤゲート１２５の出力端子に、Ｑ出力端子は発光制御回路１１０に接続している。１２５はＡＮＤゲートで入力端子はマイクロコンピュータ１１１の出力端子ＯＵＴ−Ｂとコンパレータ１１４の出力端子に接続している。図７に示す発光制御回路１１０の回路図も図２と同一であり、Ｄフリップフロップ１２４のＱ出力が抵抗２１２を介してトランジスタ２１１のベースへ接続している。
【００４４】
このように、図７の第２実施例の構成は図１に示す第１実施例に、Ｄフリップフロップ１２４とＡＮＤゲート１２５の回路を追加したもので、それ以外の同一構成には同一符号を付し重複する説明は省略する。
【００４５】
つぎに以上のような構成によるフラット発光制御について各図を参照して説明する。なお、図５に示すメインフローチャートに関する動作は前実施例と同一なので説明を省略する。
【００４６】
カメラがＳＴＡＲＴ／ＳＴＯＰ端子をＬｏｗにすると割込みがかかり、図８のフローチャートに示すフラット発光シーケンスを実行する。
【００４７】
発光割込みスタート（Ｓ３０１）。マイクロコンピュータ１１１の出力端子Ｄ／Ａ−ＯＵＴ  Ａ〜Ｈ端子をカメラからのシリアル通信に指示された値にセットする。この時は発光前なので、Ｄ／Ａコンバータ１１２のＤ／Ａ−ＯＵＴの出力≧発光強度モニタ回路１１３の出力、なのでコンパレータ１１４の出力はＨｉｇｈである（Ｓ３０２）。
【００４８】
マイクロコンピュータ１１１の出力端子３０Ｖ−ＯＮをＨｉｇｈにする（Ｓ３０３）。マイクロコンピュータ１１１の出力端子ＯＵＴ−ＢをＬｏｗにすることによってＤフリップフロップ１２４の出力ＱはＬｏｗからＨｉｇｈになる（Ｓ３０４）。続いてＯＵＴ−ＢをＨｉｇｈにする（Ｓ３０５）。
【００４９】
マイクロコンピュータ１１１の出力端子ＯＵＴ−ＡをＨｉｇｈにすることにより、信号セレクタ１１５はＤ１端子選択になり、出力ＹはＨｉｇｈ、反転出力ＷはＬｏｗになり、発光制御回路１１０のトランジスタ２１３，２０５がオフ、トランジスタ２１１がオン、トランジスタ２０８がオンしてＩＧＢＴ２０１がオンする（Ｓ３０６）。
【００５０】
マイクロコンピュータ１１１の出力端子ＴＲＩを、所定時間だけＨｉｇｈにする。これによりトリガ回路１０９はキセノン管１０７に高電圧のトリガ信号を加えキセノン管１０７は発光を始める（Ｓ３０７）。
フラット発光の発光時間を制御するタイマーをスタートさせる（Ｓ３０８）。発光後は前実施例と同様、図９に示すようにフラット発光を持続する。カメラからのシリアル通信で指示されたフラット発光の発光時間ＴＦＰと、Ｓ３０８でスタートしたタイマーを比較して（Ｓ３０９）、発光終了時間になったら、マイクロコンピュータ１１１の出力端子３０Ｖ−ＯＮをＬｏｗにする（Ｓ３１０）。
【００５１】
その後、所定時間ＴＷ２だけウエイトしてからＳ３１２へ進む（Ｓ３１１）。
【００５２】
この所定時間ＴＷ２はフラット発光中にＩＧＢＴ２０１が最低１回はオフ信号を受ける時間で少なくともフラット発光の１周期、つまりコンパレータ１１４がオフになってオンし、再びオフするまでの時間は必要であり、これらのタイミングを図９のタイムチャートに示している。
【００５３】
ここで、Ｓ３１０からＴＷ２ウエイトしている間の動作の詳細な説明をする。フラット発光の終了時間がきて、マイクロコンピュータ１１１の出力端子３０Ｖ−ＯＮがＬｏｗになり、Ｄフリップフロップ１２４のＤ入力端子にＬｏｗが入力している状態で、フラット発光中のキセノン管１０７の光量が所定値より大きくなり、コンパレータ１１４の出力がＨｉｇｈからＬｏｗになると、信号セレクタ１１５の反転出力ＷはＬｏｗからＨｉｇｈになり、トランジスタ２１３，２０５がオンしてＩＧＢＴ２０１はオフする。また、コンパレータ１１４の出力がＨｉｇｈからＬｏｗになるエッジつまりＩＧＢＴをオンからオフにするエッジによってＡＮＤゲート１２５の出力はＨｉｇｈからＬｏｗになり、Ｄフリップフロップ１２４の出力ＱもＨｉｇｈからＬｏｗになり保持する。これによって、キセノン管１０７の発光の強度が下がりコンパレータ１１４が再びＨｉｇｈを出力して、信号セレクタ１１５の反転出力ＷがＬｏｗになってもＤフリップフロップ１２４の出力ＱはＬｏｗであるので、トランジスタ２１１，２０８はオフしており発光制御回路のＩＧＢＴ２０１はオンしない。このように、禁止手段の動作として、Ｄフリップフロップ１２４のホールドにより発光制御回路１１０は制御信号を受付けなくしている。
【００５４】
最後に、ウエイト時間ＴＷ２が経過したらＩＧＢＴ２０１は確実にオフ状態にあるので、次の発光動作のためにマイクロコンピュータ１１１の出力端子ＯＵＴ−ＡをＬｏｗにする（Ｓ３１２）。
【００５５】
割込み処理を終了してメインルーチンに戻る（Ｓ３１３）。
【００５６】
以上説明したように、本実施例では、フラット発光の過渡的な状態を避けてＩＧＢＴ２０１をオフするのに、コンパレータ１１４のＨｉｇｈからＬｏｗのエッジでＤフリップフロップを動作させるので、マイクロコンピュータ１１１の処理能力が第１の実施例より低くても実現可能である。
【００５７】
【発明の効果】
請求項１に記載の発明によれば、フラット発光が可能なストロボ装置において、第１の信号の状態に応じてＩＧＢＴをオンとしている間にフラット発光の所定の持続時間が経過したことを検知した場合に、第１の信号に応じてＩＧＢＴがオフとなるまで待機してから、第２の信号を変化させてフラット発光を終了させるので、ＩＧＢＴを保護することができる。
【００５８】
請求項２に記載の発明によれば、第１の信号の状態に応じてＩＧＢＴをオンとしている間にフラット発光の所定の持続時間が経過したことを示す信号を検知してから、フラット発光の所定の持続時間が経過したことを検知してから所定時間後に、第２の信号を変化させてフラット発光を終了させるので、ＩＧＢＴを保護しながらフラット発光を終了させることができ、ＩＧＢＴの破壊を防ぐことができる。
【００５９】
請求項３に記載の発明によれば、所定時間として発光制御回路が第１の信号の状態に応じてＩＧＢＴをオフからオンするに切り換えるために要する時間以上で、且つフラット発光周期において発光制御回路が第１の信号の状態に応じてＩＧＢＴをオフとしておく時間より短い時間をウエイト時間に設定してＩＧＢＴをオフするので、過渡状態を避けるのに適正な時間ウエイトしてオフすることでＩＧＢＴの破壊を防止できる。
【００６０】
請求項４に記載の発明によれば、フラット発光の終了時に、フラット発光の所定の持続時間が経過したことを検知した場合に、ＩＧＢＴをオンからオフに切り換えるための第１の信号のエッジを検知したら、それ以後第１の信号の受付けを禁止するようにしたので、より確実にＩＧＢＴの破壊を防止することができる。
【図面の簡単な説明】
【図１】本発明の第１実施例に係るフラット発光制御装置のブロック図である。
【図２】図１に示す発光制御回路の具体回路図である。
【図３】図１に示すフラット発光制御装置の各部のタイムチャートである。
【図４】図３に示す動作波形の比較説明用のタイムチャートである。
【図５】図１に示すフラット発光制御装置の動作のフローチャートである。
【図６】図１に示すフラット発光制御装置のフラット発光シーケンスのフローチャートである。
【図７】本発明の第２実施例に係るフラット発光制御装置のブロック図である。
【図８】図７に示す第２実施例のフラット発光シーケンスのフローチャートである。
【図９】図７に示す第２実施例の各部のタイムチャートである。
【符号の説明】
１０１  電池
１０２  ＤＣ／ＤＣコンバータ
１０３  コンデンサ
１０４，１０５  分圧用抵抗
１０６  コイル
１０７  キセノン管
１０８  ダイオード
１０９  トリガ回路
１１０  発光制御回路
１１１  マイクロコンピュータ
１１２  Ｄ／Ａコンバータ
１１３  発光強度モニタ回路
１１４  コンパレータ
１１５  信号セレクタ
１１６，１１９  抵抗
１１７  電源スイッチ
１１８  ＬＥＤ
１２４  Ｄフリップフロップ
１２５  ＡＮＤゲート
２０１  ＩＧＢＴ
【図１】
0003792757.tif 000002
【図２】
0003792757.tif 000003
【図３】
0003792757.tif 000004
【図４】
0003792757.tif 000005
【図５】
0003792757.tif 000006
【図６】
0003792757.tif 000007
【図７】
0003792757.tif 000008
【図８】
0003792757.tif 000009
【図９】
0003792757.tif 000010